【手続補正書】
【提出日】平成19年8月10日(2007.8.10)
【手続補正１】
【補正対象書類名】明細書
【補正対象項目名】特許請求の範囲
【補正方法】変更
【補正の内容】
【特許請求の範囲】
【請求項１】  プラスティック材質として、前面部が開放して後壁部が塞がっており、その後壁部は側壁部より厚く形成されて全体にシリンダー形状を有するタブと、
前記タブの内部に回転可能に設けられるドラムと、
前記タブの後壁部の中心内部に一体に形成される金属材質の中空のベアリングハウジングと、
前記ベアリングハウジングを貫通し、一端は前記ドラムと連結され、他端はモータのローターと連結されるシャフトと、
前記シャフトと前記ベアリングハウジングとの間に位置してシャフトを支持するベアリングと、
磁性体によって形成されたマグネティックコアと、コイルが巻かれて磁力を形成する巻線部とからなり、前記タブの後壁部の中央に固定されるステータと、
磁路を形成するバックヨークが側壁面に沿って形成され、前記側壁面に永久磁石が固定され、該永久磁石が前記マグネティックコアと一定距離を維持するように前記ステータが内側に設けられた円筒状のロータと、
前記ベアリングハウジングを包むように、前記タブの後壁部に前記ステータとともに締結ボルトによって一体的に締結されて、該タブの後壁部に対する該ステータの同心度を維持するサポータと、
を含むことを特徴とする、ドラム洗濯機の駆動部の構造。
【請求項２】  前記金属材質のベアリングハウジングはプラスティック材質のタブの後壁部中央にインサートモールティングされることを特徴とする、請求項１に記載のドラム洗濯機の駆動部の構造。
【請求項３】  前記ベアリングハウジングはアルミニウム合金からなることを特徴とする、請求項１に記載のドラム洗濯機の駆動部の構造。
【請求項４】  前記ベアリングハウジングの内周面の前、後方には、
前記ベアリングハウジングの内周面上に各々位置する前方ベアリング及び後方ベアリングを支持して、各ベアリングが前記ベアリングハウジングから離脱されないようにするための段部が各々形成されることを特徴とする、請求項１に記載のドラム洗濯機の駆動部の構造。
【請求項５】  前記ベアリングハウジングの内周面上に形成される段部のうち前方の段部は、シャフト両端部の外周面上に各々設けられるベアリングのうち前方ベアリングの後端部を支持する構造に形成され、
前記ベアリングハウジングの内周面上に形成される段部のうち後方の段部は、後方ベアリングの前端部を支持する構造に形成されることを特徴とする、請求項１に記載のドラム洗濯機の駆動部の構造。
【請求項６】  前記シャフトの前端部はドラム後壁部に備えられたスパイダに結合され、前記シャフトのスパイダの外部に露出した部分から前方ベアリングまでの領域には、シャフトの錆防止のために黄銅材質のブシングが圧入設置されることを特徴とする、請求項１に記載のドラム洗濯機の駆動部の構造。
【請求項７】  前記ローターが鉄板または鉄板合金材質からなることを特徴とする、請求項１に記載のドラム洗濯機の駆動部の構造。
【請求項８】  前記ローターは、
後壁面の縁部から前方に延長形成された側壁面上にはその内面の前方に装着されるマグネットを支持するための安着面を有する折り曲げ部が円周方向に沿って形成されることを特徴とする、請求項１に記載のドラム洗濯機の駆動部の構造。
【請求項９】  前記ローター後壁面上に、
前記ローターの回転時空気をステータの方に吹き込み、ステータでの発生熱を冷却させる作用をする複数の冷却フィンが放射状に一体に形成され、
前記冷却フィンはレンシング加工によってローターの開口部の側に向かうように形成されると共に、ローターの半径方向に所定の長さを有するように形成され、
前記冷却フィンのレンシング加工時形成された通孔は通風口の役割を果たすことを特徴とする、請求項１に記載のドラム洗濯機の駆動部の構造。
【請求項１０】  前記ローター後壁面の冷却フィンと冷却フィンの間の領域に、
前記ローターの強度補強のためのエンボシング部が形成され、
前記エンボシング部上には水分排出のための排水ホールが形成されることを特徴とする、請求項９に記載のドラム洗濯機の駆動部の構造。
【請求項１１】  前記ローターの後壁面の中央には前記ローターをシャフトに結合させるための締結部材が通過可能な貫通ホールが形成されたハブ部が備えられ、前記ローターの貫通ホールの縁部には前記後方ベアリングの後ろ側に露出されたシャフト後端部の外周面上にセレーション結合されるコネクタを前記ローターに締結させるための締結孔及び、前記コネクタの組立位置を決定する位置決定ホールが一定の間隔離隔して形成されることを特徴とする、請求項１に記載のドラム洗濯機の駆動部の構造。
【請求項１２】  前記コネクタハブの内周面上にシャフトの後端部に形成されたセレーションに形合するセレーションが形成され、
前記コネクタのハブの外側には前記ハブの強度補強のための補強リブが備えられることを特徴とする、請求項１１に記載のドラム洗濯機の駆動部の構造。
【請求項１３】  前記コネクタがローターと振動モードが異なる樹脂材質からなることを特徴とする、請求項１１に記載のドラム洗濯機の駆動部の構造。
【請求項１４】  前記タブの後壁部上にはベアリングハウジングがその内部にインサートされるハブと一体に形成され、
前記ハブの外側には締結部材を用いてステータをタブの後壁部上に固定させるための締結用ボスが円周方向に沿って一定の間隔離隔して形成されることを特徴とする、請求項１に記載のドラム洗濯機の駆動部の構造。
【請求項１５】  前記ステータのマグネティックコアは複数の磁性体によって形成されていることを特徴とする、請求項１に記載のドラム洗濯機の駆動部の構造。
【請求項１６】  キャビネットの内側に設けられるプラスティック材質のタブと、
前記タブの内側に設けられるドラムと、
前記タブの後壁部の中央に内装され、その内部に前方ベアリングおよび後方ベアリングが設けられて、該前方ベアリングおよび該後方ベアリングをそれぞれ支持する段部が内周面上にそれぞれ形成された金属材質のベアリングハウジングと、
前記タブの内側に設けられるドラムに軸連結されてモータの駆動力をドラムへ伝達し、前端部はドラムの後壁部に備えられたスパイダに結合され、スパイダの外部に露出した部分から前記前方ベアリングまでの領域には、錆防止のための黄銅材質のブシングが圧入設置され、外周面上に前記前方及び後方ベアリングのシャフト上での設置位置を決定する位置決定用段部が形成されたシャフトと、
前記シャフトの後端部に結合され、鉄板材質として、後壁面の縁部から前方に延長形成された側壁面上にはその内面の前方に装着される永久磁石を支持するための安着面を有する折り曲げ部が円周方向に沿って形成され、その後壁面の中心には前記ローターをシャフトに結合させるためのボルトなどの締結部材が通過可能な貫通ホールが形成されたハブ部が形成され、回転時空気をステータの側に吹き込み、ステータからの発生熱を冷却させる作用を行う複数の冷却フィンが後壁面上に放射状に形成され、前記ローター後壁面の冷却フィンの間にはローターの強度補強のためのエンボシング部が形成され、前記エンボシング部上には水分排出のための排水ホールが形成されるローターと、
前記ローターの内側に位置し、前記タブの後壁部に締結されて前記ローターと共にモータを構成するステータと、
前記シャフトとローターが共に回動するように前記シャフトとローターとの間に介在され、前記ローターの回転力をシャフトへ伝達する樹脂材質のコネクタと、
前記ベアリングハウジングを包むように、前記タブの後壁部に前記ステータとともに締結ボルトによって一体的に締結されて、該タブの後壁部に対する該ステータの同心度を維持するサポータと、
が備えられることを特徴とする、ドラム洗濯機の駆動部の構造。
【請求項１７】  キャビネットの内側に設けられるタブと、
前記タブの内側に設けられるドラムに軸連結され、モータの駆動力をドラムへ伝達するシャフトと、
前記シャフト両端部の外周面上に各々設けられる前方ベアリング及び後方ベアリングと、
前記タブの後壁部の中央に内装され、前方ベアリングを支持する金属材質のベアリングハウジングと、
前記シャフトの後端部に結合され、モータを構成するローターと、
前記ローターの内側に位置し、ローターと共にモータを構成するように前記タブの後壁部に締結されるステータと、
前記シャフトの後方ベアリングの前方の外周面上にセレーション結合されると共に、前記ローターに締結されて前記ローターの回転力をシャフトへ伝達するコネクタと、
前記ベアリングハウジングを包むように、前記タブの後壁部に前記ステータとともに締結ボルトによって一体的に締結されて、該タブの後壁部に対する該ステータの同心度を維持するサポータと、
前記タブの後壁部に結合され、前記ローターの外側を包むと共に、前記後方ベアリングを支持するベアリングブラケットとが備えられることを特徴とする、ドラム洗濯機の駆動部の構造。
【請求項１８】  前記金属材質のベアリングハウジングはプラスティック材質のタブの後壁部中央にインサートモールティングされることを特徴とする、請求項１７に記載のドラム洗濯機の駆動部の構造。
【請求項１９】  キャビネットの内側に設けられるプラスティック材質のタブと、
前記タブの内側に設けられるドラムと、
前記タブの後壁部の中央に内装され、その内部に前方ベアリングが設けられて、該前方ベアリングを支持するように段部が内周面上に形成された金属材質のベアリングハウジングと、
前記タブの内側に設けられるドラムに軸連結されてモータの駆動力をドラムへ伝達し、前端部はドラム後壁部に備えられたスパイダに結合され、該スパイダの外部に露出した部分から前方ベアリングまでの領域には、錆防止のために黄銅材質のブシングが圧入設置されるシャフトと、
前記シャフト後端部の外周面上に設けられる後方ベアリングと、
前記シャフトの後端部に結合され、鉄板材質として、後壁面の縁部から前方に延長形成された側壁面上には、その内面の前方に装着される永久磁石を支持するための安着面を有する折り曲げ部が円周方向に沿って形成され、その後壁面の中心には前記ローターをシャフトに結合させるためのボルトなどの締結部材が通過可能な貫通ホールが形成されたハブ部が形成され、回転時空気をステータの方に吹き込み、ステータからの発生熱を冷却させる作用をする複数の冷却フィンが後壁面上に放射状に形成され、前記ローター後壁面の冷却フィンの間にはローターの強度補強のためのエンボシング部が形成され、前記エンボシング部上には水分排出のための排水ホールが形成されるローターと、
前記ローターの内側に位置し、前記タブの後壁部に締結されて前記ローターと共にモータを構成するステータと、
前記シャフトとローターが共に回動するように前記シャフトとローターの間に介在され、前記ローターの回転力をシャフトへ伝達する樹脂材質のコネクタと、
前記ベアリングハウジングを包むように、前記タブの後壁部に前記ステータとともに締結ボルトによって一体的に締結されて、該タブの後壁部に対する該ステータの同心度を維持するサポータと、
前記タブの後壁部に結合され、前記ローターの外側を包むと共に前記後方ベアリングを支持するベアリングブラケットとが備えられることを特徴とする、ドラム洗濯機の駆動部の構造。
【請求項２０】  プラスティック材質として、前面部が開放して後壁部が塞がっており、その後壁部は側壁部より厚く形成されて全体にシリンダー形状を有するタブと、
前記タブの内部に回転可能に設けられるドラムと、
前記タブの後壁部の中心内部にインサートモールディングされて一体に形成されるアルミニウム材質の中空のベアリングハウジングと、
前記ベアリングハウジングを貫通し、一端は前記ドラムと連結され、他端はモータのローターと連結されるシャフトと、
前記シャフトとベアリングハウジングとの間に位置して該シャフトを支持するベアリングと、
磁性体によって形成されたマグネティックコアと、コイルが巻かれて磁力を形成する巻線部とからなり、前記タブの後壁部の中央に固定されるステータと、
磁路を形成するバックヨークが側壁面に沿って形成され、前記側壁面に永久磁石が固定され、該永久磁石が前記マグネティックコアと一定距離を維持するように前記ステータが内側に設けられた円筒状のロータと、
を含むことを特徴とする、ドラム洗濯機の駆動部の構造。
【請求項２１】
前記ベアリングハウジングの後端部は、タブ外壁の外部に露出するように突出され、前記サポータの後端部は、前記ベアリングハウジングの露出して突出された後端部の外周面上に対向するように形成される、請求項１に記載のドラム洗濯機の駆動部の構造。
【請求項２２】
前記ベアリングハウジングの後端部は、タブ外壁の外部に露出するように突出され、前記サポータは、前記ベアリングハウジングの露出して突出された後端部を取り囲む、請求項１に記載のドラム洗濯機の駆動部の構造。
【請求項２３】
前記ベアリングハウジングの後端部は、タブ外壁の外部に露出するように突出され、前記サポータは、前記ベアリングハウジングの露出して突出された後端部の外周面上に直接密着される、請求項１に記載のドラム洗濯機の駆動部の構造。
【請求項２４】
前記ベアリングハウジングの後端部は、タブ外壁の外部に露出するように突出され、前記サポータの後端部は、前記ベアリングハウジングの露出して突出された後端部の外周面上に対向するように形成される、請求項１６に記載のドラム洗濯機の駆動部の構造。
【請求項２５】
前記ベアリングハウジングの後端部は、タブ外壁の外部に露出するように突出され、前記サポータは、前記ベアリングハウジングの露出して突出された後端部を取り囲む、請求項１６に記載のドラム洗濯機の駆動部の構造。
【請求項２６】
前記ベアリングハウジングの後端部は、タブ外壁の外部に露出するように突出され、前記サポータは、前記ベアリングハウジングの露出して突出された後端部の外周面上に直接密着される、請求項１６に記載のドラム洗濯機の駆動部の構造。
【請求項２７】
前記ベアリングハウジングの後端部は、タブ外壁の外部に露出するように突出され、前記サポータの後端部は、前記ベアリングハウジングの露出して突出された後端部の外周面上に対向するように形成される、請求項１７に記載のドラム洗濯機の駆動部の構造。
【請求項２８】
前記ベアリングハウジングの後端部は、タブ外壁の外部に露出するように突出され、前記サポータは、前記ベアリングハウジングの露出して突出された後端部を取り囲む、請求項１７に記載のドラム洗濯機の駆動部の構造。
【請求項２９】
前記ベアリングハウジングの後端部は、タブ外壁の外部に露出するように突出され、前記サポータは、前記ベアリングハウジングの露出して突出された後端部の外周面上に直接密着される、請求項１７に記載のドラム洗濯機の駆動部の構造。
【請求項３０】
前記ベアリングハウジングの後端部は、タブ外壁の外部に露出するように突出され、前記サポータの後端部は、前記ベアリングハウジングの露出して突出された後端部の外周面上に対向するように形成される、請求項１９に記載のドラム洗濯機の駆動部の構造。
【請求項３１】
前記ベアリングハウジングの後端部は、タブ外壁の外部に露出するように突出され、前記サポータは、前記ベアリングハウジングの露出して突出された後端部を取り囲む、請求項１９に記載のドラム洗濯機の駆動部の構造。
【請求項３２】
前記ベアリングハウジングの後端部は、タブ外壁の外部に露出するように突出され、前記サポータは、前記ベアリングハウジングの露出して突出された後端部の外周面上に直接密着される、請求項１９に記載のドラム洗濯機の駆動部の構造。
【請求項３３】
前記ベアリングハウジングの後端部は、タブ外壁の外部に露出するように突出され、前記サポータの後端部は、前記ベアリングハウジングの露出して突出された後端部の外周面上に対向するように形成される、請求項２０に記載のドラム洗濯機の駆動部の構造。
【請求項３４】
前記ベアリングハウジングの後端部は、タブ外壁の外部に露出するように突出され、前記サポータは、前記ベアリングハウジングの露出して突出された後端部を取り囲む、請求項２０に記載のドラム洗濯機の駆動部の構造。
【請求項３５】
前記ベアリングハウジングの後端部は、タブ外壁の外部に露出するように突出され、前記サポータは、前記ベアリングハウジングの露出して突出された後端部の外周面上に直接密着される、請求項２０に記載のドラム洗濯機の駆動部の構造。